(57)【要約】【課題】小型軽量で良好な光学性能を有するカメラ用のズームレンズ、カメラ、ズームレンズの合焦方法を提供する。【解決手段】複数のレンズ群と開口絞りＳとを有し、広角端状態から望遠端状態への変倍は前記複数のレンズ群どうしの間隔を変更して行うズームレンズにおいて、最も物体側から順に正の第１レンズ群Ｇ１と負の第２レンズ群Ｇ２と正の第３レンズ群Ｇ３とを少なくとも有し、広角端状態から望遠端状態への変倍に際して第１レンズ群Ｇ１と第２レンズ群Ｇ２との間隔が増大し第２レンズ群Ｇ２と第３レンズ群Ｇ３との間隔が減少し、遠距離物点から近距離物点への合焦は第２レンズ群Ｇ２と第２レンズ群Ｇ２よりも像側に位置する少なくとも１つのレンズ群とを移動させることによって行い、広角端状態における遠距離物点から近距離物点への合焦の際には第２レンズ群Ｇ２は位置が固定であることを特徴とする。【選択図】図１
2007240875.tif 000002
【特許請求の範囲】
【請求項１】
複数のレンズ群と、開口絞りとを有し、
広角端状態から望遠端状態への変倍は、前記複数のレンズ群どうしの間隔を変更することによって行うズームレンズにおいて、
最も物体側から順に、正の屈折力を有する第１レンズ群と、負の屈折力を有する第２レンズ群と、正の屈折力を有する第３レンズ群とを少なくとも有し、
広角端状態から望遠端状態への変倍に際して、前記第１レンズ群と前記第２レンズ群との間隔が増大し、前記第２レンズ群と前記第３レンズ群との間隔が減少し、
遠距離物点から近距離物点への合焦は、前記第２レンズ群と、当該第２レンズ群よりも像側に位置する少なくとも１つのレンズ群とを移動させることによって行い、
広角端状態における遠距離物点から近距離物点への合焦の際には、前記第２レンズ群は位置が固定であることを特徴とするズームレンズ。
【請求項２】
遠距離物点から近距離物点への合焦に際する前記第２レンズ群と前記少なくとも１つのレンズ群との移動量比は、広角端状態において最小であり、広角端状態から望遠端状態への変倍にしたがって大きくなることを特徴とする請求項１に記載のズームレンズ。
【請求項３】
望遠端状態における遠距離物点から近距離物点への合焦は、前記第２レンズ群のみを移動させることによって行うことを特徴とする請求項１又は請求項２に記載のズームレンズ。
【請求項４】
遠距離物点から近距離物点への合焦に際する前記第２レンズ群の移動方向は物体側であり、
以下の条件式を満足することを特徴とする請求項１から請求項３のいずれか１項に記載のズームレンズ。
−０．９８＜Ｍ２ｔ＜−０．３０
但し、
Ｍ２ｔ：望遠端状態における前記第２レンズ群の結像倍率
【請求項５】
遠距離物点から近距離物点への合焦は、前記第２レンズ群と、最も像側に位置するレンズ群とを移動させることによって行い、前記最も像側に位置するレンズ群の移動方向は物体側であることを特徴とする請求項１から請求項４のいずれか１項に記載のズームレンズ。
【請求項６】
請求項１から請求項５のいずれか１項に記載のズームレンズを備えたことを特徴とするカメラ。
【請求項７】
最も物体側から順に、正の屈折力を有する第１レンズ群と、負の屈折力を有する第２レンズ群と、正の屈折力を有する第３レンズ群とを少なくとも有し、広角端状態から望遠端状態への変倍の際には、前記第１レンズ群と前記第２レンズ群との間隔が増大し、前記第２レンズ群と前記第３レンズ群との間隔が減少するズームレンズの合焦方法であって、
前記第２レンズ群と、当該第２レンズ群よりも像側に位置する少なくとも１つのレンズ群とを移動させることで遠距離物点から近距離物点への合焦を行い、
広角端状態における遠距離物点から近距離物点への合焦の際には、前記第２レンズ群の位置を固定することを特徴とするズームレンズの合焦方法。
【発明の詳細な説明】
【技術分野】
【０００１】
本発明は、カメラ用のズームレンズ、カメラ、ズームレンズの合焦方法に関する。
【背景技術】
【０００２】
近年、カメラレンズのオートフォーカス化に伴い、ズームレンズの小型化や高精度化を図るべく、物体側のレンズを繰り出して合焦を行ういわゆる前玉繰り出し方式以外の様々な合焦方式を採用したズームレンズ、例えば複数の合焦レンズ群を備えたズームレンズが知られている（例えば、特許文献１を参照。）。
【特許文献１】特開平６−３５９２号公報
【発明の開示】
【発明が解決しようとする課題】
【０００３】
しかしながら、従来のズームレンズは、合焦に際して第２レンズ群の移動量が他の合焦レンズ群の移動量に比して小さい。このため、特に望遠端状態における合焦の際には、屈折力の大きな第２レンズ群を有効に活用することができず、良好な光学性能を達成することができないという問題がある。また、広角端状態において第２レンズ群が合焦レンズ群として移動することにより、第２レンズ群が移動するための空間（デッドスペース）を確保しなければならず、十分な小型化を図ることができないという問題もある。
【０００４】
そこで本発明は上記問題点に鑑みてなされたものであり、小型軽量で良好な光学性能を有するカメラ用のズームレンズ、カメラ、ズームレンズの合焦方法を提供することを目的とする。
【課題を解決するための手段】
【０００５】
上記課題を解決するために本発明は、
複数のレンズ群と、開口絞りとを有し、
広角端状態から望遠端状態への変倍は、前記複数のレンズ群どうしの間隔を変更することによって行うズームレンズにおいて、
最も物体側から順に、正の屈折力を有する第１レンズ群と、負の屈折力を有する第２レンズ群と、正の屈折力を有する第３レンズ群とを少なくとも有し、
広角端状態から望遠端状態への変倍に際して、前記第１レンズ群と前記第２レンズ群との間隔が増大し、前記第２レンズ群と前記第３レンズ群との間隔が減少し、
遠距離物点から近距離物点への合焦は、前記第２レンズ群と、当該第２レンズ群よりも像側に位置する少なくとも１つのレンズ群とを移動させることによって行い、
広角端状態における遠距離物点から近距離物点への合焦の際には、前記第２レンズ群は位置が固定であることを特徴とするズームレンズを提供する。
【０００６】
また、本発明のズームレンズを備えたことを特徴とするカメラを提供する。
【０００７】
また本発明は、
最も物体側から順に、正の屈折力を有する第１レンズ群と、負の屈折力を有する第２レンズ群と、正の屈折力を有する第３レンズ群とを少なくとも有し、広角端状態から望遠端状態への変倍の際には、前記第１レンズ群と前記第２レンズ群との間隔が増大し、前記第２レンズ群と前記第３レンズ群との間隔が減少するズームレンズの合焦方法であって、
前記第２レンズ群と、当該第２レンズ群よりも像側に位置する少なくとも１つのレンズ群とを移動させることで遠距離物点から近距離物点への合焦を行い、
広角端状態における遠距離物点から近距離物点への合焦の際には、前記第２レンズ群の位置を固定することを特徴とするズームレンズの合焦方法を提供する。
【発明の効果】
【０００８】
本発明によれば、小型軽量で良好な光学性能を有するカメラ用のズームレンズ、カメラ、ズームレンズの合焦方法を提供することができる。
【発明を実施するための最良の形態】
【０００９】
以下、本発明のズームレンズについて説明する。
本発明のズームレンズは、複数のレンズ群と、開口絞りとを有し、広角端状態から望遠端状態への変倍は、前記複数のレンズ群どうしの間隔を変更することによって行うズームレンズであって、最も物体側から順に、正の屈折力を有する第１レンズ群と、負の屈折力を有する第２レンズ群と、正の屈折力を有する第３レンズ群とを少なくとも有する。
そして、本発明のズームレンズは、広角端状態から望遠端状態への変倍に際して、前記第１レンズ群と前記第２レンズ群との間隔が増大し、前記第２レンズ群と前記第３レンズ群との間隔が減少し、遠距離物点から近距離物点への合焦は、前記第２レンズ群と、当該第２レンズ群よりも像側に位置する少なくとも１つのレンズ群とを移動させることによって行い、広角端状態における遠距離物点から近距離物点への合焦の際には、前記第２レンズ群は位置が固定である。
【００１０】
第２レンズ群は、他のレンズ群、特に第１レンズ群に比してレンズ径の小型化が可能であるため、合焦機構を組み込むことに適している。また、さらに第２レンズ群の他に少なくとも１つのレンズ群を合焦レンズ群として移動させることで、近距離物点への合焦時に発生する非点収差やコマ収差の変動を抑えることができる。
【００１１】
ここで、一般に本発明のような構成のズームレンズでは、広角端状態において第１レンズ群と第２レンズ群との間隔が変倍率を確保するために小さくなりがちである。また、第２レンズ群が合焦レンズ群として移動するための空間を確保しなければならない。したがってこのような構成の下で軸外光束を確保するためには、第１レンズ群の前玉径（最も物体側のレンズの径）を大型化しなければならないため好ましくない。
【００１２】
そこで本発明のズームレンズは、上述のように広角端状態における遠距離物点から近距離物点への合焦の際に、第２レンズ群の位置を固定している。
この構成により、第１レンズ群と第２レンズ群との間隔を短縮化して、有効な変倍率の確保と小型軽量化とを図ることができる。
【００１３】
また本発明のズームレンズは、遠距離物点から近距離物点への合焦に際する前記第２レンズ群と前記少なくとも１つのレンズ群との移動量比は、広角端状態において最小であり、広角端状態から望遠端状態への変倍にしたがって大きくなることが望ましい。
なお、上記「前記第２レンズ群と前記少なくとも１つの群との移動量比」とは、合焦時の前記第２レンズ群の移動量を、合焦時の前記少なくとも１つのレンズ群の移動量で割った値を指す。
【００１４】
ここで、広角端状態近傍において近距離物点への合焦に際して第２レンズ群を移動させることは、非点収差の変動が増加してしまうため好ましくない。また、望遠端状態近傍において近距離物点への合焦に際して第２レンズ群以外のレンズ群を移動させることは、球面収差の変動が増加してしまうため好ましくない。
【００１５】
したがって本発明のズームレンズは、上述のように遠距離物点から近距離物点への合焦に際して、広角端状態側では第２レンズ群の移動を極力抑え、かつ望遠端状態側では第２レンズ群の移動量を増大させることが望ましい。これにより、遠距離物点から近距離物点への合焦に際して、広角端状態では非点収差の変動を良好に抑え、また望遠端状態では球面収差の変動を良好に抑えることができる。
【００１６】
また本発明のズームレンズは、望遠端状態における遠距離物点から近距離物点への合焦は、前記第２レンズ群のみを移動させることによって行うことが望ましい。
【００１７】
ここで、一般に本発明のような構成のズームレンズでは、第２レンズ群は他のレンズ群に比して最も大きな屈折力を有しており、望遠端状態へ変倍するにあたって第２レンズ群以外のレンズ群はその構成上、結像倍率が等倍（−１倍）に限りなく近づいてしまう、又は等倍を越えてしまう。このような場合、第２レンズ群以外のレンズ群では、望遠端状態において合焦を行うことができなくなってしまう、又は望遠端状態における合焦のための移動量が大きくなりすぎてしまう。このため、近距離物点への合焦の際に生じる球面収差の変動の増大やレンズ全長の増大を招いてしまうため好ましくない。以上より、本発明のズームレンズは前述のように、望遠端状態における遠距離物点から近距離物点への合焦を、第２レンズ群のみを移動させることによって行うことが望ましい。
【００１８】
また本発明のズームレンズは、遠距離物点から近距離物点への合焦に際する前記第２レンズ群の移動方向は物体側であり、以下の条件式（１）を満足することが望ましい。
（１）  −０．９８＜Ｍ２ｔ＜−０．３０
但し、
Ｍ２ｔ：望遠端状態における前記第２レンズ群の結像倍率
【００１９】
条件式（１）は、望遠端状態において合焦に適した第２レンズ群の結像倍率の範囲を規定する条件式である。
条件式（１）の上限値を上回ると、十分な高変倍率を得ることが困難となり、また第２レンズ群以外のレンズ群への負担が大きくなり球面収差が劣化してしまうため好ましくない。
【００２０】
一方、条件式（１）の下限値を下回ると、望遠端状態において第２レンズ群による合焦が不可能となり、又は望遠端状態において第２レンズ群の移動量が大きくなりすぎて、球面収差が劣化してしまうため好ましくない。また、十分近距離物点に対して合焦することができなくなってしまう。
なお、条件式（１）の下限値を−０．９０に設定すれば、本発明の効果をより発揮することができる。また、条件式（１）の上限値を−０．４０に設定すれば、本発明の効果をより発揮することができる。
【００２１】
また本発明のズームレンズは、遠距離物点から近距離物点への合焦は、前記第２レンズ群と、最も像側に位置するレンズ群とを移動させることによって行い、前記最も像側に位置するレンズ群の移動方向は物体側であることが望ましい。
【００２２】
前述のように、遠距離物点から近距離物点への合焦を第２レンズ群と最も像側に位置するレンズ群とを移動させることによって行うことで、合焦時の第２レンズ群の移動によって劣化する非点収差を良好に補正することができる。また、最も像側に位置するレンズ群の合焦時の移動方向を物体側とすることで、特に広角端状態側でのバックフォーカスを十分に確保することができる。
【００２３】
また本発明のカメラは、上述した構成のズームレンズを備えている。
これにより、小型軽量で良好な光学性能を有するカメラを実現することができる。
【００２４】
また本発明の合焦方法は、最も物体側から順に、正の屈折力を有する第１レンズ群と、負の屈折力を有する第２レンズ群と、正の屈折力を有する第３レンズ群とを少なくとも有し、広角端状態から望遠端状態への変倍の際には、前記第１レンズ群と前記第２レンズ群との間隔が増大し、前記第２レンズ群と前記第３レンズ群との間隔が減少するズームレンズの合焦方法である。そして、本発明の合焦方法は、前記第２レンズ群と、当該第２レンズ群よりも像側に位置する少なくとも１つのレンズ群とを移動させることで遠距離物点から近距離物点への合焦を行い、広角端状態における遠距離物点から近距離物点への合焦の際には、前記第２レンズ群の位置を固定する。
【００２５】
この構成により、ズームレンズの小型軽量化を図り、良好な光学性能を実現することができる。
【００２６】
以下、本発明の数値実施例に係るズームレンズを添付図面に基づいて説明する。
（第１実施例）
図１は、本発明の第１実施例に係るズームレンズの構成を示す図である。
本実施例に係るズームレンズは、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５とから構成されており、広角端状態から望遠端状態への変倍に際して、第１レンズ群Ｇ１と第２レンズ群Ｇ２との間隔が増大し、第２レンズ群Ｇ２と第３レンズ群Ｇ３との間隔が減少する。
【００２７】
第１レンズ群Ｇ１は、物体側から順に、物体側に凸面を向けた負メニスカスレンズＬ１１と両凸形状の正レンズＬ１２との接合レンズと、物体側に凸面を向けた正メニスカスレンズＬ１３とからなる。
第２レンズ群Ｇ２は、物体側から順に、物体側に凸面を向けた負メニスカスレンズＬ２１と、両凹形状の負レンズＬ２２と物体側に凸面を向けた正メニスカスレンズＬ２３との接合レンズと、物体側に凸面を向けた正メニスカスレンズＬ２４とからなる。
第３レンズ群Ｇ３は、物体側から順に、開口絞りＳと、物体側に凸面を向けた負メニスカスレンズＬ３１と両凸形状の正レンズＬ３２との接合レンズと、両凸形状の正レンズＬ３３とからなる。
【００２８】
第４レンズ群Ｇ４は、物体側から順に、像側に凸面を向けた正メニスカスレンズＬ４１と両凹形状の負レンズＬ４２との接合レンズからなる。
第５レンズ群Ｇ５は、物体側から順に、両凸形状の正レンズＬ５１と、両凸形状の正レンズＬ５２と、像側に凸面を向けた負メニスカスレンズＬ５３とからなる。
なお、開口絞りＳは、広角端状態から望遠端状態への変倍に際して、第３レンズ群Ｇ３を構成する各レンズと一体的に移動する。
【００２９】
斯かる構成の下、本実施例に係るズームレンズにおいて、遠距離物点から近距離物点への合焦は、広角端状態においては第５レンズ群Ｇ５のみを物体側へ移動させることで行い（第２レンズ群Ｇ２の位置は固定）、中間焦点距離状態においては第２レンズ群Ｇ２と第５レンズ群Ｇ５とをともに物体側へ移動させることで行い、望遠端状態においては第２レンズ群Ｇ２のみを物体側へ移動させることで行う（第５レンズ群Ｇ５の位置は固定）。
【００３０】
以下の表１に、本発明の第１実施例に係るズームレンズの諸元の値を掲げる。
［全体諸元］において、ｆは焦点距離、ＦＮＯはＦナンバー、２ωは画角（単位は「°」）をそれぞれ示す。
［レンズデータ］において、第１カラムＮは物体側から数えたレンズ面の順番、第２カラムｒはレンズ面の曲率半径、第３カラムｄはレンズ面の間隔、第４カラムνｄはｄ線（波長λ＝５８７．６ｎｍ）に対するアッベ数、第５カラムｎｄはｄ線（波長λ＝５８７．６ｎｍ）に対する屈折率をそれぞれ示す。また、ｒ＝0.0000は平面を示している。
【００３１】
［非球面データ］には、非球面を次式で表した場合の非球面係数を示す。
ｘ＝（ｈ２／ｒ）／［１＋｛１−κ（ｈ／ｒ）２｝１／２］
＋Ｃ３|ｈ|３＋Ｃ４ｈ４＋Ｃ６ｈ６＋Ｃ８ｈ８＋Ｃ１０ｈ１０＋Ｃ１２ｈ１２
ここで、ｘを非球面の頂点を基準としたときの光軸からの高さｈの位置での光軸方向の変位（サグ量）、κを円錐定数、Ｃｎをｎ次の非球面係数、ｒを基準球面の曲率半径（近軸曲率半径）とする。
なお、「E-n」は「×１０−ｎ」を示し、例えば「1.234E-05」は「1.234×10−５」を示す。また、０（ゼロ）となる非球面係数はその記載を省略している。
【００３２】
［可変間隔データ］には、焦点距離ｆ又は投影倍率β、物体から第１レンズ面までの距離D0、及び各レンズ群どうしの可変間隔を示す。なお、1-POSは広角端状態における無限遠合焦状態、2-POSは中間焦点距離状態における無限遠合焦状態、3-POSは望遠端状態における無限遠合焦状態、4-POSは広角端状態における近距離合焦状態、5-POSは中間焦点距離状態における近距離合焦状態、6-POSは望遠端状態における近距離合焦状態をそれぞれを示す。
【００３３】
[合焦レンズ群の移動量]には、各焦点距離状態（4-POS,5-POS,6-POS）における近距離合焦時の各レンズ群の移動量を示す。なお、合焦に際するレンズ群の像側への移動を＋とする。
［条件式対応値］には、条件式（１）の値を示す。
【００３４】
ここで、以下の各実施例の全ての諸元値において掲載されている焦点距離ｆ、曲率半径ｒ、その他長さの単位は一般に「ｍｍ」が使われる。しかし光学系は、比例拡大又は比例縮小しても同等の光学性能が得られるため、単位は「ｍｍ」に限られるものではない。なお、以下の各実施例の諸元値においても、本実施例と同様の符号を用いる。
【００３５】
（表１）
［全体諸元］
広角端状態  中間焦点距離状態  望遠端状態
ｆ    ＝   24.96   〜     50.05      〜  82.45
ＦＮＯ＝    3.7    〜      4.4       〜   4.7
２ω  ＝   42.4    〜     22.6       〜  14.0
［レンズデータ］
Ｎ       ｒ       ｄ       νｄ     ｎｄ
第１レンズ群Ｇ１
1      226.3725   1.700   23.78   1.84666
2       68.6527   6.400   55.52   1.69680
3    -3388.0946   0.100
4       46.9239   4.900   46.58   1.80400
5      112.8854   d5
第２レンズ群Ｇ２
6       53.4183   0.100   38.09   1.55389
7       67.7644   1.200   42.72   1.83481
8       11.9662   5.450
9      -51.5477   1.000   46.58   1.80400
10      18.9881   2.100   22.76   1.80809
11      33.3458   0.200
12      23.0384   2.300   23.78   1.84666
13      99.8834   d13
第３レンズ群Ｇ３
14       0.0000   0.400                   （開口絞りＳ）
15      24.3936   0.800   23.78   1.84666
16      13.5623   4.400   61.18   1.58913
17     -50.8676   0.100
18      32.4093   3.000   64.1   1.51680
19    -128.8229   d19
第４レンズ群Ｇ４
20     -73.3416   2.400   23.78   1.84666
21     -18.6926   0.100
22     -17.6074   0.800   46.58   1.80400
23      50.6365   d23
第５レンズ群Ｇ５
24     189.6224   5.700   82.52   1.49782
25     -18.7692   0.100
26      78.6858   3.500   58.54   1.65160
27     -63.7125   2.400
28     -20.5141   1.100   23.78   1.84666
29     -56.8479   d29
［非球面データ］
第６レンズ面
κ         Ｃ３          Ｃ４           Ｃ６           Ｃ８
-0.6091   0.36229E-06  -2.08070E-06   3.31780E-08  -3.22080E-10
Ｃ１０         Ｃ１２
5.80460E-13   0.99142E-15 
［可変間隔データ］
1-POS     2-POS     3-POS     4-POS     5-POS     6-POS
ｆ＆β  24.96     50        82.45     -0.033    -0.033    -0.033
D0       ∞        ∞        ∞      742.297  1430.921  2318.199
d5       2.478    16.693    29.386     2.478    16.182    28.699
d13     13.152     5.733     2.235    13.152     6.244     2.922
d19      0.964     7.755    10.979     0.964     7.755    10.979
d23     11.260     4.470     1.245    10.405     4.418     1.245
d29     38.787    45.578    48.802    39.643    45.629    48.802
[合焦レンズ群の移動量]
4-POS    5-POS    6-POS
第１レンズ群Ｇ１    0.000    0.000    0.000
第２レンズ群Ｇ２    0.000   -0.511   -0.687
第３レンズ群Ｇ３    0.000    0.000    0.000
第４レンズ群Ｇ４    0.000    0.000    0.000
第５レンズ群Ｇ５   -0.856   -0.051    0.000
［条件式対応値］
（１）Ｍ２ｔ＝ -0.45
【００３６】
図２（ａ），（ｂ），（ｃ）はそれぞれ、本発明の第１実施例に係るズームレンズの広角端状態における無限遠合焦時，中間焦点距離状態における無限遠合焦時，望遠端状態における無限遠合焦時の諸収差図である。また、図３（ａ），（ｂ），（ｃ）はそれぞれ、本発明の第１実施例に係るズームレンズの広角端状態における近距離合焦時（投影倍率β＝-0.033），中間焦点距離状態における近距離合焦時（投影倍率β＝-0.033），望遠端状態における近距離合焦時（投影倍率β＝-0.033）の諸収差図である。
【００３７】
各収差図において、ＦＮＯはＦナンバー、Ｙは像高、Ａは半画角（単位は「°」）をそれぞれ示す。なお、球面収差図では最大口径に対応するＦナンバーの値を示し、非点収差図及び歪曲収差図では像高の最大値をそれぞれ示し、コマ収差図では各半画角の値を示す。また球面収差図において、ｄはｄ線（λ＝５８７．６ｎｍ）、ｇはｇ線（λ＝４３５．８ｎｍ）をそれぞれ示す。そして非点収差図において、実線はサジタル像面、破線はメリディオナル像面をそれぞれ示す。
なお、以下に示す各実施例の諸収差図において、本実施例と同様の符号を用いる。
【００３８】
各諸収差図より、本実施例に係るズームレンズは、広角端状態から望遠端状態までの各焦点距離状態において、無限遠合焦時、近距離合焦時ともに諸収差が良好に補正されており、優れた結像性能を有していることがわかる。
【００３９】
（第２実施例）
図４は、本発明の第２実施例に係るズームレンズの構成を示す図である。
本実施例に係るズームレンズは、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４とから構成されており、広角端状態から望遠端状態への変倍に際して、第１レンズ群Ｇ１と第２レンズ群Ｇ２との間隔が増大し、第２レンズ群Ｇ２と第３レンズ群Ｇ３との間隔が減少する。
【００４０】
第１レンズ群Ｇ１は、物体側から順に、物体側に凸面を向けた負メニスカスレンズＬ１１と両凸形状の正レンズＬ１２との接合レンズと、物体側に凸面を向けた正メニスカスレンズＬ１３とからなる。
第２レンズ群Ｇ２は、物体側から順に、物体側に凸面を向けた負メニスカスレンズＬ２１と、両凹形状の負レンズＬ２２と、両凸形状の正レンズＬ２３と、像側に凸面を向けた負メニスカスレンズＬ２４とからなる。
【００４１】
第３レンズ群Ｇ３は、物体側から順に、開口絞りＳと、両凸形状の正レンズＬ３１と、両凸形状の正レンズＬ３２と両凹形状の負レンズＬ３３との接合レンズと、像側に凸面を向けた正メニスカスレンズＬ３４と両凹形状の負レンズＬ３５との接合レンズとからなる。
第４レンズ群Ｇ４は、物体側から順に、両凸形状の正レンズＬ４１と、像側に凸面を向けた正メニスカスレンズＬ４２と両凹形状の負レンズＬ４３との接合レンズとからなる。
なお、開口絞りＳは、広角端状態から望遠端状態への変倍に際して、第３レンズ群Ｇ３を構成する各レンズと一体的に移動する。
【００４２】
斯かる構成の下、本実施例に係るズームレンズにおいて、遠距離物点から近距離物点への合焦は、広角端状態においては第４レンズ群Ｇ４のみを物体側へ移動させることで行い（第２レンズ群Ｇ２の位置は固定）、中間焦点距離状態においては第２レンズ群Ｇ２と第４レンズ群Ｇ４とをともに物体側へ移動させることで行い、望遠端状態においては第２レンズ群Ｇ２のみを物体側へ移動させることで行う（第４レンズ群Ｇ４の位置は固定）。
以下の表２に、本発明の第２実施例に係るズームレンズの諸元の値を掲げる。
【００４３】
（表２）
［全体諸元］
広角端状態  中間焦点距離状態  望遠端状態
ｆ    ＝   18.3    〜     72.0       〜 196.00
ＦＮＯ＝    3.3    〜      5.3       〜   5.9
２ω  ＝   39.9    〜     11.2       〜   4.2
［レンズデータ］
Ｎ       ｒ       ｄ       νｄ     ｎｄ
第１レンズ群Ｇ１
1      105.9610   2.000   23.78   1.84666
2       71.3260   7.541   81.54   1.49700
3    -1309.8498   0.200
4       62.7400   5.634   65.44   1.60300
5      172.3159   d5
第２レンズ群Ｇ２
6     3247.3313   0.200   38.09   1.55389
7      350.0000   1.400   46.62   1.81600
8       15.5519   7.269
9      -38.1063   1.400   46.62   1.81600
10      58.2259   0.210
11      39.9359   4.020   23.78   1.84666
12     -38.0549   0.696
13     -28.7047   1.400   46.62   1.81600
14     -92.9967   d14
第３レンズ群Ｇ３
15       0.0000   0.500                   （開口絞りＳ）
16      41.2957   2.757   70.23   1.48749
17     -49.3120   0.490
18      20.9493   4.621   81.54   1.49700
19     -41.7503   1.400   32.35   1.85026
20     170.2856   2.262
21     -68.7491   1.847   23.78   1.84666
22     -31.9511   1.400   46.62   1.81600
23     107.0149   d23
第４レンズ群Ｇ４
24      54.7472   7.666   59.46   1.58313
25     -19.8886   0.200
26     -80.6973   3.598   60.08   1.64000
27     -16.9513   1.628   40.92   1.80610
28     447.1115   d28
［非球面データ］
第６レンズ面
κ         Ｃ４           Ｃ６           Ｃ８        Ｃ１０
0.0000   1.47440E-05  -5.01210E-08   2.40370E-10  -5.17290E-13
第２１レンズ面
κ         Ｃ４           Ｃ６           Ｃ８        Ｃ１０
-5.4970   2.63620E-06  -3.02920E-08   4.35670E-10  -1.87450E-12
第２４レンズ面
κ         Ｃ４           Ｃ６           Ｃ８        Ｃ１０
10.2988  -3.86840E-05  -2.10020E-08  -6.08770E-10  -1.90870E-12
第２５レンズ面
κ         Ｃ４           Ｃ６           Ｃ８        Ｃ１０
-0.5656  -1.50360E-05  -3.40270E-08  -2.15350E-10  -1.74120E-12
［可変間隔データ］
1-POS     2-POS     3-POS     4-POS     5-POS     6-POS
ｆ＆β  18.300    72.000   196.001    -0.025    -0.025    -0.025
D0       ∞        ∞        ∞      705.001  2731.939  6923.313
d5       2.000    32.056    59.136     2.000    31.636    57.672
d14     31.556     9.218     1.000    31.556     9.639     2.464
d23      9.409     4.332     3.166     8.951     4.311     3.166
d28     39.000    78.752    89.563    39.458    78.773    89.563
[合焦レンズ群の移動量]
4-POS    5-POS    6-POS
第１レンズ群Ｇ１    0.000    0.000    0.000
第２レンズ群Ｇ２    0.000   -0.420   -1.464
第３レンズ群Ｇ３    0.000    0.000    0.000
第４レンズ群Ｇ４   -0.458   -0.021    0.000
［条件式対応値］
（１）Ｍ２ｔ＝ -0.74
【００４４】
図５（ａ），（ｂ），（ｃ）はそれぞれ、本発明の第２実施例に係るズームレンズの広角端状態における無限遠合焦時，中間焦点距離状態における無限遠合焦時，望遠端状態における無限遠合焦時の諸収差図である。また、図６（ａ），（ｂ），（ｃ）はそれぞれ、本発明の第２実施例に係るズームレンズの広角端状態における近距離合焦時（投影倍率β＝-0.033），中間焦点距離状態における近距離合焦時（投影倍率β＝-0.025），望遠端状態における近距離合焦時（投影倍率β＝-0.025）の諸収差図である。
【００４５】
各諸収差図より、本実施例に係るズームレンズは、広角端状態から望遠端状態までの各焦点距離状態において、無限遠合焦時、近距離合焦時ともに諸収差が良好に補正されており、優れた結像性能を有していることがわかる。
【００４６】
以上の各実施例によれば、デジタル一眼レフカメラにも利用可能な長いバックフォーカスを有し、小型軽量で良好な光学性能を有するカメラ用のズームレンズを実現することができる。
【００４７】
なお、本発明の実施例として、４群構成のレンズ系及び５群構成のレンズ系を示したが、該４群又は５群に付加レンズ群を加えただけのズームレンズも本発明の効果を内在した同等のズームレンズであることは言うまでもない。また、各レンズ群内の構成においても、実施例の構成に付加レンズを加えただけのレンズ群も本発明の効果を内在した同等のレンズ群であることは言うまでもない。
【００４８】
次に、本発明のズームレンズを備えたカメラを図７に基づいて説明する。
図７は、本発明のズームレンズを備えたカメラの構成を示す図である。
本カメラ１は、図７に示すように撮影レンズ２として上記第１実施例に係るズームレンズを備えたデジタル一眼レフカメラである。
【００４９】
本カメラ１において、不図示の物体（被写体）からの光は、撮影レンズ２で集光されて、クイックリターンミラー３を介して焦点板４に結像される。そして焦点板４に結像されたこの光は、ペンタプリズム５中で複数回反射されて接眼レンズ６へ導かれる。これにより撮影者は、被写体像を接眼レンズ６を介して正立像として観察することができる。
【００５０】
また、撮影者によって不図示のレリーズボタンが押されると、クイックリターンミラー３が光路外へ退避し、不図示の被写体からの光は撮像素子７へ到達する。これにより被写体からの光は、当該撮像素子７によって撮像されて、被写体画像として不図示のメモリに記録される。このようにして、撮影者は本カメラ１による被写体の撮影を行うことができる。
【００５１】
ここで、本カメラ１に撮影レンズ２として搭載した上記第１実施例に係るズームレンズは、上記第１実施例において説明したようにその特徴的なレンズ構成及び合焦方法によって、小型軽量でかつ良好な光学性能を有している。これにより本カメラ１は、カメラ全体の小型軽量化及び高性能化を実現することができる。
なお、本発明は以上に限られず、上記第２実施例に係るズームレンズを撮影レンズ２として搭載したカメラを構成しても上記カメラ１と同様の効果を勿論奏することができる。
【００５２】
以上より、デジタル一眼レフカメラにも利用可能な長いバックフォーカスを有し、小型軽量で良好な光学性能を有するカメラ用のズームレンズ、カメラ、ズームレンズの合焦方法を実現することができる。
【図面の簡単な説明】
【００５３】
【図１】本発明の第１実施例に係るズームレンズの構成を示す図である。
【図２】（ａ），（ｂ），（ｃ）はそれぞれ、本発明の第１実施例に係るズームレンズの広角端状態における無限遠合焦時，中間焦点距離状態における無限遠合焦時，望遠端状態における無限遠合焦時の諸収差図である。
【図３】（ａ），（ｂ），（ｃ）はそれぞれ、本発明の第１実施例に係るズームレンズの広角端状態における近距離合焦時（投影倍率β＝-0.033），中間焦点距離状態における近距離合焦時（投影倍率β＝-0.033），望遠端状態における近距離合焦時（投影倍率β＝-0.033）の諸収差図である。
【図４】本発明の第２実施例に係るズームレンズの構成を示す図である。
【図５】（ａ），（ｂ），（ｃ）はそれぞれ、本発明の第２実施例に係るズームレンズの広角端状態における無限遠合焦時，中間焦点距離状態における無限遠合焦時，望遠端状態における無限遠合焦時の諸収差図である。
【図６】（ａ），（ｂ），（ｃ）はそれぞれ、本発明の第２実施例に係るズームレンズの広角端状態における近距離合焦時（投影倍率β＝-0.033），中間焦点距離状態における近距離合焦時（投影倍率β＝-0.025），望遠端状態における近距離合焦時（投影倍率β＝-0.025）の諸収差図である。
【図７】本発明のズームレンズを備えたカメラの構成を示す図である。
【符号の説明】
【００５４】
Ｇ１      第１レンズ群
Ｇ２      第２レンズ群
Ｇ３      第３レンズ群
Ｇ４      第４レンズ群
Ｇ５      第５レンズ群
Ｓ        開口絞り
Ｉ        像面
Ｗ        広角端状態
Ｍ        中間焦点距離状態
Ｔ        望遠端状態
【図１】
2007240875.tif 000003
【図２】
2007240875.tif 000004
【図３】
2007240875.tif 000005
【図４】
2007240875.tif 000006
【図５】
2007240875.tif 000007
【図６】
2007240875.tif 000008
【図７】
2007240875.tif 000009